(57)【要約】【課題】輪転機仕様に拠らずにピッチをほぼ一定として印刷紙面を検査できる印刷紙面検査方法及び装置を提供する。【解決手段】同期パルス（Ｓ）を出力するための回転同期信号出力装置（２４）と、同期パルス（Ｓ）に基づいて出力されるタイミングパルス（Ｔ）を出力するためのタイミングパルス出力部（２２）と、印刷紙面（１６）を検知するためのセンサー（２６）を設け、同期パルス（Ｓ）は版胴（３２）の回転と同期していて所定の出力（Ｃ）からなり、同期パルス（Ｓ）の所定の出力（Ｃ）は所定のピッチ（Ｂ）で分割され、この所定のピッチ（Ｂ）毎にタイミングパルス（Ｔ）が出力されていて、タイミングパルス（Ｔ）に基づいてセンサー（２６）が印刷紙面（１６）を所定のピッチ（Ｂ）で検査することを特徴とする印刷紙面検査装置。【選択図】　図１
2004017416.tif 000002
【特許請求の範囲】
【請求項１】
同期パルス（Ｓ）を出力するための回転同期信号出力装置（２４）と、同期パルス（Ｓ）に基づいて出力されるタイミングパルス（Ｔ）を出力するためのタイミングパルス出力部（２２）と、印刷紙面（１６）を検知するためのセンサー（２６）を設け、同期パルス（Ｓ）は版胴（３２）の回転と同期していて所定の出力（Ｃ）により構成され、同期パルス（Ｓ）の所定の出力（Ｃ）は所定のピッチ（Ｂ）で分割され、この所定のピッチ（Ｂ）毎にタイミングパルス（Ｔ）が出力されて、タイミングパルス（Ｔ）に基づいてセンサー（２６）により印刷紙面（１６）が所定のピッチ（Ｂ）で検査されることを特徴とする印刷紙面検査装置。
【請求項２】
同期パルス（Ｓ）の所定の出力（Ｃ）が版胴長（Ａ）に応じて分割されることを特徴とする請求項１に記載の印刷紙面検査装置。
【請求項３】
版胴（３２）の回転と同期していて所定の出力（Ｃ）からなる同期パルス（Ｓ）を、版胴長（Ａ）に応じて所定のピッチ（Ｂ）で分割し、この所定のピッチ（Ｂ）毎にタイミングパルス（Ｔ）を出力し、タイミングパルス（Ｔ）に基づいてセンサー（２６）が印刷紙面（１６）を所定のピッチ（Ｂ）で検査することを特徴とする印刷紙面検査方法。
【請求項４】
同期パルス（Ｓ）の所定の出力（Ｃ）が版胴長（Ａ）に応じて分割されることを特徴とする請求項３に記載の印刷紙面検査方法。
【発明の詳細な説明】
【０００１】
【発明の属する技術分野】
この発明は、オフセット輪転機等に好適に用いられる印刷紙面検査装置に関する。
【０００２】
【従来の技術】
輪転機仕様は、刷物の大きさ（輪転機種別がＡ輪横全の場合：紙幅１０４０ｍｍ、版胴長（長さ）６２５ｍｍ、輪転機種別がＢ輪縦半の場合：紙幅８８０ｍｍ、版胴長（長さ）５４６ｍｍなど）により分別されている。印刷紙面を検査する場合、輪転機仕様に合わせて検査する必要がある。
【０００３】
輪転機仕様に合わせた検査に使用できる１つの要素として、版胴長がある。版　胴が回転することで、ロール紙に絵柄が印刷される。この場合、版胴の機械軸に同期した同期信号が基準とされ、印刷物と同期させて検査されている。
【０００４】
版胴の回転で印刷される印刷物の長さは、輪転機仕様毎に異なるため、輪転機仕様に合わせた同期方法が必要となる。
【０００５】
従来は、版胴の回転による印刷される印刷物を、所定の数（サンプリング数）の画像データに分割して検査していた。
【０００６】
【発明が解決しようとする課題】
しかしながら、各種の輪転機仕様に対して同一のサンプリング数で検査していたため、検査される画像データのピッチ（サンプリングピッチ）が各版胴長で異なり、検査品質にばらつきが生じていた。
【０００７】
印刷紙面の検査品質を一定にするためには、印刷物から取り込む画像データのサンプリングピッチを一定にする必要がある。
【０００８】
そこで本発明は、輪転機仕様に合わせてサンプリングピッチを実質的に一定とすることが可能な印刷紙面検査方法及び装置を提供することを目的としている。
【０００９】
【課題を解決するための手段】
本発明の課題を解決するための手段を例示すると、以下のとおりである。
【００１０】
（１）　同期パルス（Ｓ）を出力するための回転同期信号出力装置（２４）と、同期パルス（Ｓ）に基づいて出力されるタイミングパルス（Ｔ）を出力するためのタイミングパルス出力部（２２）と、印刷紙面（１６）を検知するためのセンサー（２６）を設け、同期パルス（Ｓ）は版胴（３２）の回転と同期していて所定の出力（Ｃ）により構成され、同期パルス（Ｓ）の所定の出力（Ｃ）は所定のピッチ（Ｂ）で分割され、この所定のピッチ（Ｂ）毎にタイミングパルス（Ｔ）が出力されて、タイミングパルス（Ｔ）に基づいてセンサー（２６）により印刷紙面（１６）が所定のピッチ（Ｂ）で検査されることを特徴とする印刷紙面検査装置。
【００１１】
（２）　同期パルス（Ｓ）の所定の出力（Ｃ）が版胴長（Ａ）に応じて分割されることを特徴とする前述の印刷紙面検査装置。
【００１２】
（３）　版胴（３２）の回転と同期していて所定の出力（Ｃ）からなる同期パルス（Ｓ）を、版胴長（Ａ）に応じて所定のピッチ（Ｂ）で分割し、この所定のピッチ（Ｂ）毎にタイミングパルス（Ｔ）を出力し、タイミングパルス（Ｔ）に基づいてセンサー（２６）が印刷紙面（１６）を所定のピッチ（Ｂ）で検査することを特徴とする印刷紙面検査方法。
【００１３】
（４）　同期パルス（Ｓ）の所定の出力（Ｃ）が版胴長（Ａ）に応じて分割されることを特徴とする前述の印刷紙面検査方法。
【００１４】
【発明の実施の形態】
本発明の好適な実施形態においては、同期パルスは回転同期信号出力装置から出力される。回転同期信号出力装置の典型例は、ロータリーエンコーダである。
【００１５】
好ましくは、版胴１回転で印刷される印刷物の長さを版胴長とする。
【００１６】
タイミングパルス出力部は、以下の実施例では、本体に設けられている。本体は、回転同期信号出力装置から入力されるパルスを処理する処理部と、装置全体を操作するための操作部を含む構成が好ましい。タイミングパルス出力部を、処理部や操作部と別個に構成しても良い。
【００１７】
好ましくは、同期パルスは所定の出力（例えば５０００パルス）から成る。同期パルスを版胴長に応じて分割して分周比率とし、分周比率をその整数近似値である分周数に換算して、この分周数に基づいてタイミングパルスを出力する構成が好ましい。
【００１８】
センサー部は、以下の実施例に示すように紙面の表と裏の両方に設けるのが好ましいが、片側に設けても良い。
【００１９】
【実施例】
以下、図面を参照して本発明の実施例を説明する。
【００２０】
図１は、本発明による印刷紙面検査装置の主要部を示す概略上面図である。
【００２１】
印刷紙面検査装置１０は、オフセット輪転機１２と検査部２０から構成されている。
【００２２】
オフセット輪転機１２には、ロール紙１４が設定されている。ロール紙１４は、版胴を有する印刷部から巻き取り部（図示省略）へ矢印Ｘ方向に搬送されている。ロール紙１４には、本発明における印刷紙面の具体例としての絵柄１６がＸ方向に連続的に印刷されている。
【００２３】
検査部２０は、本体２２を有している。本体２２は、装置全体を操作して検査内容を処理する機能と、操作内容を表示する表示部の機能を有している。
【００２４】
本体２２には、本発明における回転同期信号出力装置の典型例としてのロータリーエンコーダ２４が接続されている。ロータリーエンコーダ２４は、輪転機１２の機械軸（図示省略）と同期した同期パルスＳ（回転同期信号Ｓ）を本体２２に与えるものである。
【００２５】
本発明におけるタイミングパルス出力部は、本体２２の１部として構成されている。すなわち、本体２２は、ロータリーエンコーダ２４から入力される同期パルスＳに基づいて、タイミングパルスＴを出力する。このタイミングパルスＴは、所定のピッチで絵柄１６を検査するのに用いられる。
【００２６】
本体２２には、２つのセンサー部２６が接続されている。２つのセンサー部２６の間に、ロール紙１４が位置している。センサー部２６には、本体２２からタイミングパルスＴが送られる。センサー部２６は、タイミングパルスＴに合わせて絵柄１６の画像データＤを得るものである。得られた画像データＤは、本体２２に送信される。
【００２７】
本体２２にはまた、シーケンサー２８が接続されている。シーケンサー２８は、予め設定された順序によって装置の動きを自動的に制御するものである。
【００２８】
シーケンサー２８には、表示装置３０が接続されている。表示装置３０は、エラー警告等を表示するためのものである。
【００２９】
次に、本発明により印刷紙面を検査する工程の１例を示す。本発明により絵柄を検査するピッチ（サンプリングピッチ）を輪転機仕様に合わせてほぼ一定にできる。
【００３０】
表１には、各輪転機仕様における版胴長Ａ（／ｍｍ）が示されている。表１においては、サンプリングピッチＢが１．３ｍｍ、版胴１回転の同期パルス出力Ｃが５０００である場合のサンプリングピッチＨの算出法が示されている。
【００３１】
【表１】
2004017416.tif 000003
表中、
▲１▼列は、版胴長ＡにおいてサンプリングピッチＢ＝１．３を実現できるサンプリング数Ｄを示す。
【００３２】
▲２▼列は、▲１▼Ｄを満たす、版胴１回転の同期パルス出力の分周比率Ｅを示す。
【００３３】
▲３▼列は、▲２▼Ｅの小数点以下を四捨五入した、整数近似値Ｆを示す。
【００３４】
▲４▼列は、▲３▼Ｆを用いたときのサンプリング数Ｇを示す。
【００３５】
▲５▼列は、▲３▼Ｆを用いたときのサンプリングピッチＨを示す。
【００３６】
以下に輪転機種別がＢ輪縦全の場合のサンプリングピッチの算出法の例を示す。
【００３７】
輪転機種別がＢ輪縦全の場合、版胴長Ａ＝１０９２ｍｍである。サンプリングピッチＢ＝１．３ｍｍ、版胴１回転の同期パルス出力Ｃ＝５０００の場合、サンプリング数Ｄ＝Ａ／Ｂ＝８４０である。版胴１回転の同期パルス出力の分周比率Ｅ＝Ｃ／Ｄ＝５．９５である。すなわち、版胴長Ａ＝１０９２ｍｍの輪転機を１．３ｍｍのピッチでサンプリングする場合、理論的には、５．９５パルス毎にサンプリングを計８４０回行えば良いことになる。
【００３８】
次に、Ｅ＝５．９５を四捨五入して、整数近似値Ｆ＝６を得る。Ｆを分周数とする。Ｆを用いたときのサンプリング数Ｇ＝Ｃ／Ｆ＝８３３である。この場合、サンプリングピッチＨ＝Ａ／Ｇ＝１．３１となる。すなわち、６パルス毎にサンプリングを計８３３回行えば、版胴長Ａ＝１０９２ｍｍの輪転機を１．３１ｍｍのピッチでサンプリングできることになる。図３には、版胴３２と分周数Ｆ及びサンプリングピッチＨとの関係が概念的に示されている。
【００３９】
表２には、各版胴長における分周数、タイミングパルス出力数等の関係が示されている。
【００４０】
【表２】
2004017416.tif 000004
表２においてカウンター２最終カウントとは、タイミングパルスの最終カウントを意味する。カウンター２最終カウントにおいて、版胴１回転でのサンプリングが終了する。
【００４１】
タイミングパルス出力数とは、検査において出力されるタイミングパルスの総出力数である。タイミングパルス出力数は、カウンター２最終カウントよりも小さい場合がある。これは、カウンター２最終カウントにおけるタイミングパルスが次の回転のベースパルスと一致しない場合があるためであり、このとき最終のタイミングパルスは出力されない。ここで、ベースパルスは、タイミングパルスにオフセットを与えるものである。
【００４２】
余りとは、カウンター２最終カウントにおけるタイミングパルスと、次の回転のベースパルスとの間の、ロータリーエンコーダにおけるカウンターのズレである。
【００４３】
サンプリングピッチは、１．３（／ｍｍ）付近の値を示している。こうして、種々の版胴長を用いてほぼ一定のサンプリングピッチで検査できることが分かる。
【００４４】
図２には、版胴長Ａ＝１０９２ｍｍの場合における、本体とセンサー部間のパルス入出力の関係（ハンドシェイク）の一例が示されている。
【００４５】
ロータリーエンコーダから本体に対して、Ｍ相のパルスとＡ相のパルスが入力される。Ｍ相のパルスとＡ相のパルスは輪転機との同期信号であり、これらに基づいてセンサー部へパルスが出力される。Ａ相は、Ｍ相のパルスに基づいて５０００のパルスを出力している。Ａ相のパルスは、エンコーダパルスカウンタ（カウンター１ともいう。図示省略。）によりカウントされている。
【００４６】
本体からセンサー部に対して、ベースパルスとタイミングパルスが出力される。タイミングパルスは、ベースパルスに基づいて計８３２のパルスを出力している。すなわち、計８３３のサンプリングピッチのうち、最終パルスは出力されない。
【００４７】
「カウンター２」＝（「タイミングパルス出力数」−１）
となるパルスが最終出力である。
【００４８】
「カウンター２」＝「タイミングパルス出力数」
となるパルスは出力されない。エンコーダパルスカウンタの余りの２カウントの後、再び０からタイミングパルスが出力される。なお、タイミングパルスは、タイミングパルスカウンタ（カウンター２ともいう。図示省略。）によりカウントされている。
【００４９】
センサー部から本体に対して、センサーデータの入力が行われる。「ＢＡＳＥＰＵＬＳＥ」応答、「データ送信中」、「センサーデータ」、「データクロック」、及び「同期クロック」が入力されるが、本発明とは直接関連しないため、その説明を省略する。
【００５０】
図示された実施例においては、所定の分周数（６）でタイミングパルスを出力することにより、所定のサンプリングピッチ（１．３１ｍｍ）で検査できる。他の版胴長（５４６ｍｍ、６２５ｍｍ、７６９ｍｍ、８８８ｍｍ）の場合でも、ほぼ一定のサンプリングピッチ（約１．３ｍｍ）で検査できる。
【００５１】
【発明の効果】
本発明によれば、輪転機の種類に拠らずにピッチをほぼ一定として印刷紙面を検査できるようにしたので、印刷紙面の検査品質を一定に保つことが可能になる。
【００５２】
また、同期パルスの所定の出力を版胴長に応じて分割するようにすれば、輪転機種別に応じた正確な検査が可能になる。
【００５３】
なお、本発明は図示された実施例に限定されない。
【図面の簡単な説明】
【図１】本発明による印刷紙面検査装置の一例を示す概略上面図。
【図２】ロータリーエンコーダパルスの分周の一例を示す図。
【図３】版胴と分周数及びサンプリングピッチとの関係を示す概念図。
【符号の説明】
１０　印刷紙面検査装置
１２　オフセット輪転機
１４　ロール紙
１６　絵柄
２０　検査部
２２　本体
２４　ロータリーエンコーダ
２６　センサー部
２８　シーケンサー
３０　表示装置
３２　版胴
【図１】
2004017416.tif 000005
【図２】
2004017416.tif 000006
【図３】
2004017416.tif 000007